(57)【要約】【課題】装置の開閉度に応じて操作性を向上させることが出来る情報処理装置、表示制御方法、プログラム及び記録媒体を提供する。【解決手段】第１の表示部を備えた第１の筐体と、第２の表示部を備えた第２の筐体とが、接合部を介して可動に接合され、前記第１及び第２の表示部は、表示部への接触を感知することで操作入力を受け付ける入力部をそれぞれ備えた情報処理装置であって、前記第１の筐体と第２の筐体とがなす角度を検知する角度検知手段と、表示部の操作し難いエリアをアクセス不自由エリアとし、角度と対応付けて記憶する記憶手段と、前記検知した角度に応じた前記アクセス不自由なエリアを考慮して表示部を制御する表示制御手段と、を備えることを特徴とする。【選択図】図１
2011204129.tif 000002
【特許請求の範囲】
【請求項１】
第１の表示部を備えた第１の筐体と、第２の表示部を備えた第２の筐体とが、接合部を介して可動に接合され、前記第１及び第２の表示部は、表示部への接触を感知することで操作入力を受け付ける入力部をそれぞれ備えた情報処理装置であって、
前記第１の筐体と第２の筐体とがなす角度を検知する角度検知手段と、
表示部の操作し難いエリアをアクセス不自由エリアとし、角度と対応付けて記憶する記憶手段と、
前記検知した角度に応じた前記アクセス不自由なエリアを考慮して表示部を制御する表示制御手段と、
を備えることを特徴とする情報処理装置。
【請求項２】
前記表示制御手段は、前記アクセス不自由なエリア内にあるオブジェクトを前記アクセス不自由なエリア外に移動させて表示することを特徴とする請求項１記載の情報処理装置。
【請求項３】
前記オブジェクトへのアクセス頻度をカウントする頻度検出手段を備え、
前記表示制御手段は、前記アクセス頻度に応じて前記オブジェクトを表示することを特徴とする請求項１又は２記載の情報処理装置。
【請求項４】
前記表示制御手段は、前記アクセス頻度の高いオブジェクトを、低いオブジェクトよりも大きく表示することを特徴とする請求項３記載の情報処理装置。
【請求項５】
前記表示制御手段は、前記アクセス頻度の高いオブジェクトから順に配列して表示することを特徴とする請求項３記載の情報処理装置。
【請求項６】
前記表示制御手段は、前記アクセス頻度の高いオブジェクトのみ、前記アクセス不自由なエリア外に表示することを特徴とする請求項３記載の情報処理装置。
【請求項７】
前記情報処理装置の傾きを検知する傾き検知手段を備え、
前記表示制御手段は、前記傾きに応じて前記オブジェクトを移動させること特徴とする請求項１から６のいずれか１項記載の情報処理装置。
【請求項８】
第１の表示部を備えた第１の筐体と、第２の表示部を備えた第２の筐体とが、接合部を介して可動に接合され、前記第１及び第２の表示部は、表示部への接触を感知することで操作入力を受け付ける入力部をそれぞれ備えた情報処理装置の表示制御方法であって、
前記第１の筐体と第２の筐体とがなす角度を検知するステップと、
前記検知した角度に応じた表示部の操作し難いエリアであるアクセス不自由エリアを考慮して、表示部を制御するステップと、
を備えることを特徴とする表示制御方法。
【請求項９】
第１の表示部を備えた第１の筐体と、第２の表示部を備えた第２の筐体とが、接合部を介して可動に接合され、前記第１及び第２の表示部は、表示部への接触を感知することで操作入力を受け付ける入力部をそれぞれ備えた情報処理装置の表示制御プログラムであって、
前記第１の筐体と第２の筐体とがなす角度を検知する処理と、
前記検知した角度に応じた表示部の操作し難いエリアであるアクセス不自由エリアを考慮して、表示部を制御する処理と、
をコンピュータに実行させることを特徴とする表示制御プログラム。
【請求項１０】
請求項９記載の表示制御プログラムの処理を記録するコンピュータ読取り可能な記録媒体。
【発明の詳細な説明】
【技術分野】
【０００１】
本発明は、情報処理装置、表示制御方法、プログラム及び記録媒体に関し、特に装置の開閉度に応じて操作性を向上させることが可能な情報処理装置、表示制御方法、プログラム及び記録媒体に関する。
【背景技術】
【０００２】
画像表示を行う表示部（ディスプレイ）を備えた２つの筐体から構成される見開き型の表示装置が提案されている（特許文献１参照）。かかる表示装置は、実際の新聞、雑誌などのイメージと同様の紙面レイアウトイメージを表示でき、そのイメージに基づいて可読サイズの記事を簡単な操作で表示させることができる。
【先行技術文献】
【特許文献】
【０００３】
【特許文献１】特開２００４−１３９３９９号公報
【発明の概要】
【発明が解決しようとする課題】
【０００４】
上記特許文献１記載の表示装置は、２つの筐体が接合する箇所である回転軸（ヒンジ部）上に操作ボタンを設けている。また、筐体に設けられた各種の操作ボタンが回転軸寄りに設けられている。
【０００５】
ここで、表示部が自由な角度で見開き可能な装置は、満員電車の中などの限られたスペースで使用する際に、端末の占有面積をコンパクトに収められることができるため非常に有効であるが、反面、操作性の面で以下のような不自由さや支障が生じる。
【０００６】
・左右画面の開閉角度が狭くなるほど、ヒンジ部付近のボタンや、ヒンジ部付近の画面上のアイコンやボタン類を指先やスタイラスペンでタッチがやり難くなる。
・左右画面の開閉角度が狭くなるほど、ＬＣＤ（Liquid Crystal Display）の視野角制限で画面上のアイコンやボタンが見え難くなる場合がある。
・左右画面の開閉角度により、対面画面、蛍光灯や太陽光の写り込みなどで画面上のアイコンやボタン類が見え難くなる場合がある。
【０００７】
しかしながら、画面上の操作し難い箇所のアイコンを移動させるにしても、その移動のためにペン等で操作することがやり難く、回転軸上等に既に設けられているボタンは自由度がなかった。
【０００８】
本発明はこのような状況に鑑みてなされたものであり、装置の開閉度に応じて操作性を向上させることを目的としている。
【課題を解決するための手段】
【０００９】
本発明に係る情報処理装置は、第１の表示部を備えた第１の筐体と、第２の表示部を備えた第２の筐体とが、接合部を介して可動に接合され、前記第１及び第２の表示部は、表示部への接触を感知することで操作入力を受け付ける入力部をそれぞれ備えた情報処理装置であって、前記第１の筐体と第２の筐体とがなす角度を検知する角度検知手段と、表示部の操作し難いエリアをアクセス不自由エリアとし、角度と対応付けて記憶する記憶手段と、前記検知した角度に応じた前記アクセス不自由なエリアを考慮して表示部を制御する表示制御手段と、を備えることを特徴とする。
【００１０】
本発明に係る表示制御方法は、第１の表示部を備えた第１の筐体と、第２の表示部を備えた第２の筐体とが、接合部を介して可動に接合され、前記第１及び第２の表示部は、表示部への接触を感知することで操作入力を受け付ける入力部をそれぞれ備えた情報処理装置の表示制御方法であって、前記第１の筐体と第２の筐体とがなす角度を検知するステップと、前記検知した角度に応じた表示部の操作し難いエリアであるアクセス不自由エリアを考慮して、表示部を制御するステップと、を備えることを特徴とする。
【００１１】
本発明に係る表示制御プログラムは、第１の表示部を備えた第１の筐体と、第２の表示部を備えた第２の筐体とが、接合部を介して可動に接合され、前記第１及び第２の表示部は、表示部への接触を感知することで操作入力を受け付ける入力部をそれぞれ備えた情報処理装置の表示制御プログラムであって、前記第１の筐体と第２の筐体とがなす角度を検知する処理と、前記検知した角度に応じた表示部の操作し難いエリアであるアクセス不自由エリアを考慮して、表示部を制御する処理と、をコンピュータに実行させることを特徴とする。
【００１２】
本発明に係る記録媒体は、上記本発明に係る表示制御プログラムの処理を記録するコンピュータ読取り可能な記録媒体である。
【発明の効果】
【００１３】
本発明によれば、装置の開閉度に応じて操作性を向上させることが出来る。
【図面の簡単な説明】
【００１４】
【図１】本発明の実施形態に係る端末装置１の見開き状態の外観図である。
【図２】本発明の実施形態に係る端末装置１が１８０度開いた状態と、９０度開いた状態の正面図と天面図である。
【図３】本発明の他の実施形態に係る端末装置１の画面表示例である。
【図４】本発明の他の実施形態に係る端末装置１の傾きによるアイコン等移動を説明するための図である。
【図５】本発明の他の実施形態に係る端末装置１のウィンドウ表示例を示す図である。
【図６】本発明の他の実施形態に係る端末装置１のアイコン等移動を説明するための図である。
【図７】本発明の実施形態に係る端末装置１００のブロック構成図である。
【発明を実施するための形態】
【００１５】
以下に、本発明の実施形態について図面を用いて詳細に説明する。なお、以下に述べる実施形態は、本発明の好適な実施形態であるから、技術的に好ましい種々の限定が付されているが、本発明の範囲は、以下の説明において特に本発明を限定する旨の記載がない限り、これらの態様に限られるものではない。
【００１６】
本実施形態に係る情報処理装置として、表示部を備える２つの筐体が回転可能に接合されている見開き型の端末装置１００を用いて説明する。図１は、本発明の実施形態に係る端末装置１の見開き状態の外観図である。本実施形態に係る端末装置１が有する表示部は、指やペン等の接触を検知して入力を受け付ける入力部を備えたデバイス、例えばタッチパネルディスプレイである。
【００１７】
図１に示すような見開き型の端末装置１００は、見開き具合により操作性が異なってくる。以下、図２を用いて操作性の違いについて説明する。図２は、１８０度開いた状態と、９０度開いた状態の端末装置１の正面図と天面図である。１８０度開いた状態では、各筐体に設けられたディスプレイ（右画面、左画面）は図２（ａ）の正面図に示すように見やすく、表示部のどの箇所にアイコンやボタン群があっても操作しやすい。なお、ボタン群はステータスバー等である。ここで、本実施形態ではオブジェクトの一例としてアイコンやボタン群を用いている。
【００１８】
一方、図２（ｂ）に示すような９０度開いた状態では、各筐体に設けられたディスプレイ（右画面、左画面）は接合部である回転軸周辺が操作し難い。操作し難い箇所を、本明細書では「アクセス不自由なエリア」と称す。
【００１９】
本実施形態では、端末装置の開き具合に応じてアクセス不自由なエリアを判断し、アイコンやボタン群を操作し易い箇所に配列させることを特徴とする。例えば、図２（ｂ）に示す様に、アイコン等をアクセス不自由なエリア外に配列する。
【００２０】
従って、端末装置１００は、端末装置の開き具合に対応したアクセス不自由なエリアのデータを予め有する。端末装置の開き具合は、例えば地磁気センサを各筐体に設け、開度を算出することが可能である。
【００２１】
次に、本発明の他の実施形態について説明する。上記実施形態において、端末装置の開閉角度に応じてアイコン等をアクセス不自由なエリア外（アクセス容易なエリア）に移動させるが、この場合、アイコン等の配置可能エリアが狭まるため、アイコン等の数が増えてくると、混み合って見づらくなる可能性がある。そこで、アイコン等の利用頻度（アクセス回数）を記憶し、利用頻度に応じて再配置を制御することが考え得る。以下、具体例について図３を用いて説明する。図３は、本発明の他の実施形態に係る表示例である。
【００２２】
図３（ａ）に示すように、利用頻度の高いアイコンのサイズを拡大し、低いアイコンは縮小して表示する制御が可能である。
【００２３】
図３（ｂ）に示すように、利用頻度の低いアイコンは移動させず、高いアイコンのみを移動させる制御が可能である。
【００２４】
図３（ｃ）に示すように、利用頻度の高低により、アイコンの並び順を変更する制御が可能である。
【００２５】
なお、利用頻度の検出は、アイコンのアクセス回数を内部カウンタで管理しても良い。アイコンのサイズや移動可否の閾値を予め定め、アクセス回数に応じて上述したようなサイズ変更等を行う。
【００２６】
さらに、他の実施形態について説明する。端末装置の開閉角度に応じたアクセス不自由なエリアを考慮してアイコン等を再配置するが、その上で、操作者が任意に移動させることももちろん可能である。開閉角度により、ＬＣＤの許容する視野角、あるいは対面画面や蛍光灯や太陽光の写り込みなどで、アイコン等の目視可能範囲（見易さ）が左右されるためである。
【００２７】
アイコン等の移動は、端末装置自体を傾けることにより移動させることが考え得る（図４参照）。端末装置の傾きは、各筐体に設けられた地磁気センサにより検出することが可能である。傾斜動作を行う度に移動を開始させ、デフォルト位置（傾斜角０度）に戻せば移動停止としても良い。移動速度は傾斜角により制御しても良い。１画面内の自由移動の他、左右画面間の移動も可能である。指定したアイコンのみを、傾斜動作に応じて移動させても良い。逆に、移動させたくないアイコンを指定（指で押える等）し、他のアイコンを傾斜動作に応じて移動させても良い。
【００２８】
以上の実施形態では、画面に表示されるアイコンやボタン群等を、ユーザが操作を行う対象であるオブジェクトの一例として挙げた。その他のオブジェクトの一例として、アプリケーションのウィンドウを表示した場合に、ユーザが操作を行う（画面をタッチする必要がある）箇所、例えばファンクションキー等も考え得る。このような場合に、上記各実施形態に示すアイコン等の再配列のように、ファンクションキー等の配置を移動させることは困難である。そこで、本実施形態では、アクセス不自由なエリア外にウィンドウ表示を行うことを特徴とする。
【００２９】
図５は、本実施形態に係るウィンドウ表示例を示す図である。例えば図５に示すようなウィンドウ表示の場合、地域（エリア；東京・神奈川等）を選択する箇所は左端にあり、ユーザがペン等でタッチする必要がある。アクセス不自由なエリアを考慮しない場合は、右画面に表示されるウィンドウの地域選択箇所が回転軸付近に表示されることになるため、開いた角度が狭い場合はアクセスし難い。そこで、本実施形態では、図５に示すように、開度に応じてアクセス不自由なエリア外にウィンドウを表示するよう制御することを特徴とする。
【００３０】
なお、ユーザが操作する可能性のあるトリガ（ファンクションキー等）がウィンドウ表示内にあるか否か判断し、ない場合はアクセス不自由なエリアを考慮せずに表示しても良い。これにより、ユーザが操作するトリガがない場合は、表示部をなるべく広く利用することが出来る。
【００３１】
さらに、他の実施形態として、端末装置の利用する向きが変更した場合に応じた表示制御をすることが可能である。上記各実施形態では、端末装置を左右に見開いた状態使用されているが、上下に開いてノートＰＣとして机上に置いて利用することも考え得る。その場合に、机上側のディスプレイにあるアイコン等を他方のディスプレイに全て移動させ（重複するアイコンは統合しても良い）、机上側のディスプレイにはソフトウェアキーボード等を表示し、他方のディスプレイを主画面として利用出来る。なお、逆に、アイコン等を机上側のディスプレイに集結させても良い。端末装置を構成する２つの筐体に設けられたディスプレイのうち、いずれが机上側であるかは、端末装置に設けた地磁気センサを用いても良いし、予め机上側のディスプレイとして利用する方を設定していても良いし、ユーザがその場で指定しても良い。
【００３２】
ここで、ノートＰＣとして利用することは、机上等の十分にスペースがある場所だけではなく、電車内等の狭いスペースで利用することもある。公共の場でノートＰＣを利用する場合には、狭いことの他、他の人に画面が見られないように、あまり端末装置を開かないで利用する場合も考え得る。図６（ａ）に示すように、端末装置１００をあまり開かずに利用する場合、アクセス不自由なエリアが発生する。従って、ノートＰＣとして上下に開いて利用する場合の、上記アイコン等の移動においても、図６（ｂ）に示すようにアクセス不自由なエリアを避けて配置させることが可能である。
【００３３】
図７は、本発明の実施形態に係る端末装置１００のブロック構成図である。ＣＰＵ（Central Processing Unit）１、ＲＯＭ（Read Only Memory）２、ＲＡＭ（Random Access Memory）３、表示入力部４、センサ５から構成される情報処理装置により実現され得る。
【００３４】
表示入力部４は、表示部と入力部を備えるが、タッチパネル式ディスプレイのように一体化したデバイスであるため、表示入力部と称す。
【００３５】
センサ５は、端末装置の開き具合（各筐体のなす角度）を検知する検知手段である。図１に示す実施形態では、各筐体に地磁気センサを設け、各筐体の角度を検知し、その差から各筐体のなす角度を算出している。検知手段は、不自由なエリア判断が出来る程度であれば十分である。
【００３６】
ＣＰＵ１は、ＲＯＭ２及びＲＡＭ３と連帯して、端末装置１００全体を制御する。ＲＯＭ２には、端末装置１００の制御プログラム、各種アプリケーションプログラム等が予め記憶されている。ＣＰＵ１は、ＲＯＭ２に記憶された制御プログラムに基づいて各機能ブロックの制御を行う。また、ＲＯＭ２に記憶されている各種アプリケーションプログラムの起動／停止及び制御等を行う。
【００３７】
ＣＰＵ１は、ＲＯＭ２及びＲＡＭ３等の記録媒体に格納されたプログラムを読み込んで実行することにより、表示部に表示するデータの制御を行う表示制御手段を、論理的に備える。上記各実施形態において説明したアイコンの再配置等の表示制御は、かかる表示制御手段により実行される。
【００３８】
端末装置の開き具合（各筐体のなす角度）と不自由なエリアとの対応データは、メモリ（ＲＯＭ２、ＲＡＭ３）に予め記憶されている。ユーザが任意に設定変更することも可能である。
【００３９】
なお、各図のフローチャートに示す処理を、ＣＰＵが実行するためのプログラムは本発明によるプログラムを構成する。このプログラムを記録する記録媒体としては、半導体記憶部や光学的及び／又は磁気的な記憶部等を用いることができる。このようなプログラム及び記録媒体を、前述した各実施形態とは異なる構成のシステム等で用い、そこのＣＰＵで上記プログラムを実行させることにより、本発明と実質的に同じ効果を得ることができる。
【００４０】
以上、本発明を好適な実施形態に基づき具体的に説明したが、本発明は上記のものに限定されるものではなく、その要旨を逸脱しない範囲で種々変更可能であることは言うまでもない。
【符号の説明】
【００４１】
１    ＣＰＵ
２    ＲＯＭ
３    ＲＡＭ
４    表示入力部
５    センサ
１００    端末装置
【図１】
2011204129.tif 000003
【図２】
2011204129.tif 000004
【図３】
2011204129.tif 000005
【図４】
2011204129.tif 000006
【図５】
2011204129.tif 000007
【図６】
2011204129.tif 000008
【図７】
2011204129.tif 000009